(57)【要約】      （修正有）【課題】液体を装置下部から吸引し、装置下端に開閉弁やダストタンクを備える必要がなく、構造が単純で、細いパイプを使用した井戸にも適用できるサイクロン型水処理装置及びその装置を備えたポンプ装置を提供する。【解決手段】液体を汲み上げるポンプに接続し、液体中に配置される水処理装置１が、その横断面が円形を有して上下方向に延びる円筒部３を上部に、下に向かうに従って直径が縮径する円錐部４を下部にして一体係合した本体部２と、その本体部２の上端開口を塞ぐ天板６と、その天板の中央部を貫通して上下方向に伸びる流出管７と、円錐部４の下部に渦動管５を備える。これにより、水処理装置１の流入口９から流入した液体に過巻流を発生させ、上部の流出口１０に上昇して流出される間に液体に混入した異物を遠心分離により排除できる。【選択図】図２
2020096999.tif 000002
【特許請求の範囲】
【請求項１】
ポンプに係続され、そのポンプにより吸い込まれる液体中の異物を除去する装置であって、横断面が円形を有して上下方向に延びる円筒部を上部に、下に向かうに従って直径が縮径する円錐部を下部にして一体係合した本体部と、その本体部の上端開口を塞ぐ天板と、その天板の中央部を貫通して上下方向に伸びる流出管と、円錐部の下部に渦動管を備えたことを特徴とするサイクロン型水処理装置。
【請求項２】
前記渦動管の内部に羽根部材を備えたことを特徴とする請求項1に記載のサイクロン型水処理装置。
【請求項３】
前記羽根部材が回転することを特徴とする請求項２に記載のサイクロン型水処理装置。
【請求項４】
液体を汲み上げるポンプと、そのポンプに接続された請求項1ないし３のいずれかに記載のサイクロン型水処理装置と、を備えたことを特徴とするポンプ装置。
【発明の詳細な説明】
【技術分野】
【０００１】
本発明は、ポンプにより汲みあげる地下水、河川水等の自然水に混入する異物を除去する装置及びそれを備えたポンプに関するものである。
【背景技術】
【０００２】
地下水、河川水等を生活水や雑用水として使用するのにポンプが使用され、電動モーターで駆動するポンプや手押しポンプ等、種々の態様のポンプがある。何れの態様のポンプにおいても、この汲みあげられる自然水にスラッジ、砂、小石等の異物が混入しているとポンプの摺動部に異物が入り込み磨耗による汲み上げ能力の低下や噛込みによるポンプのブロック等、様々な問題が生じる。そのため、液体中に含まれる異物を取り除く必要があり、その手段として例えば遠心力で分離除去する液体サイクロン技術などが存在する。
【０００３】
このサイクロン技術は、例えば、下記の特許文献１、又は２に記載されているサイクロン装置のように、上部が円筒形で下部に向かうに従って縮径する円錐形のサイクロン型の異物除去装置に液体を吸い込み、遠心分離により液体中に混入している異物を除去する手段である。これによると、ポンプの吸引により流速を生じた液体を装置上部の流入口から取り入れ、装置本体の内周壁に沿って渦巻流を起こして下方に向かい、下方に向かうほど渦巻流の速度が大きくなって遠心力が増大することで異物を分離するものである。
【０００４】
このように、従来のサイクロン型の異物除去装置は、流入口が装置上層部の側辺にあり、流出口が装置天板の中央部に位置していることかから液体の流れは装置の上層部から入り、渦巻流となって一旦下層部に向かい、下層から装置内の中央を上昇して流出口から流出されるのを特長とする。
【先行技術文献】
【特許文献】
【０００５】
【特許文献１】特開２００９−９０２６８号公報
【特許文献２】特開２０１０−２４０５０８号公報
【発明の概要】
【発明が解決しようとする課題】
【０００６】
しかしながら、このような構造の異物除去装置は、下端部に開閉弁やダストタンク、又は排出口を設ける必要があり、これらの開閉弁等には、稼働中に分離した異物が集積するためそれを除去する必要があった。
【０００７】
開閉弁の場合、非稼動時に弁を開放して集積した異物を落下させるが、その際異物が詰まって十分な機能が発揮できないことが発生し、またダストタンクや排出口の場合には一定期間の経過後にタンク内に集積した異物を除去するためのメインテナンスが必要であるという問題があった。
【０００８】
また、下端部に開閉弁等を設けた異物除去装置は、下端部に流入口を設けることができない構造となっており、装置上層部の側辺部に流入口を備えている。このため他のラインとの接続上、細いパイプを使用した井戸などへの適用には困難であるという問題があった。
【０００９】
本発明は、上述した課題を解決するためになされたもので、その目的とするところは、装置下部から液体を流入して、開閉弁やダストタンクを備える必要がなく、構造が単純で、細いパイプを使用した井戸にも適用できるサイクロン型水処理装置とそれを備えたポンプを提供することである。
【課題を解決するための手段】
【００１０】
請求項1に記載された発明に係るサイクロン型水処理装置は、ポンプに係続され、そのポンプにより吸い込まれる液体中の異物を除去する装置であって、横断面が円形を有して上下方向に延びる円筒部を上部に、下に向かうに従って直径が縮径する円錐部を下部にして一体係合した本体部と、その本体部の上端開口を塞ぐ天板と、その天板の中央部を貫通して上下方向に伸びる流出管と、円錐部の下部に渦動管を備えたことを特徴とするものである。
【００１１】
請求項２に記載された発明に係るサイクロン型水処理装置は、請求項１に記載の渦動管の内部に羽根部材を備えたことを特徴とするものである。
【００１２】
請求項３に記載された発明に係るサイクロン型水処理装置は、請求項２に記載の羽根部材が回転することを特徴とするものである。
【００１３】
請求項４に記載されたポンプ装置は、液体を汲み上げるポンプとそのポンプに接続された請求項1ないし３のいずれかに記載のサイクロン型水処理装置を備えたことを特徴とするものである。
【発明の効果】
【００１４】
本発明によれば、装置下端部に開閉弁やダストタンクを設ける必要がなく、メインテナンスが不要であり構造が単純で、細いパイプを使用した井戸にも適用できるサイクロン型水処理装置及びそれを備えたポンプ装置を提供することができる。
【図面の簡単な説明】
【００１５】
【図１】図１は本発明の一態様であるポンプ装置が井戸に配置された状態（一部断面図）を示す正面図である。
【図２】図２はポンプ装置のサイクロン型水処理装置を示す正面断面図である。
【図３】図３はサイクロン型水処理装置の渦動管を示す正面図、断面図であり、図３（ａ）は固定羽根、図３（ｂ）は回転羽根を示す。
【発明を実施するための形態】
【００１６】
以下、本発明に係るポンプ装置及びサイクロン型水処理装置を図１〜３に基づいて説明する。
【００１７】
図１には、一実施例として井戸３０に設置されたポンプ装置が図示されている。
このポンプ装置は、手動式の手押しポンプ５０と、楊水管２０と、サイクロン型水処理装置１から構成される。地上に設置された手押しポンプ５０には、井戸３０の中に延設された楊水管２０が連結され、揚水管２０の先端部にはサイクロン型水処理装置１が接続されている。
【００１８】
手押しポンプ５０を作動すると揚水管２０の先端部に接続されているサイクロン型水処理装置１の流入口９から井戸水が吸い込まれ、その井戸水は揚水管２０を介して上昇し手押しポンプ５０の吐出口５２から吐出される。
【００１９】
井戸水がサイクロン型水処理装置１の下端の流入口９から吸い込まれると、後述する渦動管５を通過する際、井戸水に渦巻流が発生する。この渦巻流は、図２に示すように本体部２の円錐部４から円筒部３へ螺旋軌道４０を作って上昇していき、流出管７の流出口１０から揚水管２０へと上昇していく。
【００２０】
渦巻流が発生した井戸水が、本体部２の円錐部４と円筒部３を通過する際、その渦巻流の遠心力が増大することで井戸水中に混入した異物が分離される。ポンプ稼動中に遠心力により分離され円筒部３と円錐部４の内周壁１６ａに押付けられた砂等の異物は、手押しポンプ５０の停止時に自重により円筒部３と円錐部４の内周壁１６ａを滑り落ちて流入口９から落下する。
【００２１】
このように本願発明に係る装置は、ポンプ稼動時に井戸水がサイクロン型水処理装置１の下端の流入口９から入り、渦巻流を生じた井戸水の流れが装置内の下部から上方へと一方向に螺旋軌道４０を作って上昇し、上部の流出口１０から揚水管２０へと移動する。その間に遠心分離により井戸水中の砂等の異物が分離・除去されることを最大の特徴とするものである。
【００２２】
手押しポンプ５０は、操作レバー５１を作動すると、その操作レバー５１に連動してピストンロッド５３の下端に装着されたブラ玉５４がポンプ本体シリンダー内で上下に摺動し、本体シリンダーの下部に位置するライト弁５５とブラ玉に装着されている弁のサブタ５６が交互に開閉して井戸水の汲み上げ吐出を繰り返す。
従って井戸水は、操作レバー５１の上下運動による所定の間隔で断続的に汲み上げられる。
【００２３】
井戸水がサイクロン型水処理装置１の下端の流入口９から吸い込まれ、その装置内を通過して上端の流出口１０に至る間に井戸水は装置内で渦巻流を生じて螺旋軌道４０を作って上昇してく。
【００２４】
手押しポンプ５０の稼動時のサイクロン型水処理装置内での井戸水の過巻流による上昇で、井戸水に混入している異物を遠心分離により分離し、手押しポンプ５０の停止時の井戸水の流れの止まった時に分離した異物をサイクロン型水処理装置１の下端部の流入口９から落下させて排除できる。
【００２５】
サイクロン型水処理装置１は、図２に示すように本体部２と、その上部に流出管７、その下部に渦動管５を備えている。
【００２６】
本体部２は、上下方向に延びた横断面形状が円形の筒状から成る円筒部３と円錐部４から構成される。円筒部３は、本体部２の上部に設けられ、直径が同径の真直ぐに延びた筒であり、円錐部４は本体部の下部に設けられ、円筒部３の下端から下方に向かうに従って直径が縮径された形状を有する。
【００２７】
本体部２の上端開口は天板６によって塞がれるとともに、天板６には流出管７が設けられている。
流出管７は、円筒状を成し、図２に示すように、本体部２の天板６の中央部を貫通して上下方向に延びている。上方に延びた流出管７の上端部は、揚水管２０に接続され、下方に延びて本体部内に位置する流出管７の下端部は、開口して本体部２から流出管７への水の流入を許容する。
【００２８】
本体部２から上方へ延びた流出管７の上端部には、その開口周縁に半径方向外向きのフランジ８ａが形成され、揚水管２０のフランジ８ｂにボルト２１によって着脱可能に結合されている。流出管７が揚水管２０に連通させられることで、サイクロン型水処理装置１が揚水管２０を介して手押しポンプ５０と同軸に接続されることになる。これにより流出管７のフランジ８ａが、サイクロン型水処理装置１を手押しポンプ５０に接続する接続部を構成し、本ポンプ装置は井戸内に同軸的に配置される。
【００２９】
渦動管は、図３（ａ）に示すように管状部１１と基軸部１２と羽根部材１３から構成されている。管状部１１は、本体下部の円錐部４の下端の直径と同径の円管が同一径を維持して下方向に延設されている。この管状部１１の長さは、管状部内に羽根部材１３の装着が確保できる距離が維持されていればよい。
【００３０】
基軸部１２は、管状部１１の軸心に位置しており、基軸部１２から羽根部材１３が管状部１１の内周壁１６ｂに延びて基軸部１２と管状部１１の内周壁１６ｂを繋ぐようにして固定されている。
【００３１】
羽根部材１３は、例えばパドル型の複数の羽根から構成されており、各羽根が基軸部１２の軸線に対して所定の傾斜角を有して内周壁１６ｂの周方向に均等に離間して形成されている。これにより、井戸水が渦動管内の羽根の間を通過する際に渦巻流が発生することになる。
【００３２】
このように渦動管内の羽根部材１３は、井戸水がサイクロン型水処理装置内に吸引される際に井戸水に渦巻流を発生させることを目的とする。
従って、羽根部材１３は、井戸水の渦巻流の発生の誘因に適しているならば羽根の形態や基軸部１２の軸線に対する傾斜角を限定するものではない。
【００３３】
また、羽根部材１３は、２〜３枚の羽根で構成されるのが好ましい。ポンプの稼動が停止すると、サイクロン型水処理装置１の内部で発生していた渦巻流の遠心分離により本体部２の内周壁１６ａに集積していた砂等の異物が遠心力から解放され、自重により内周壁１６ａを滑り落ちて渦動管５の羽根部材１３の間から落下する。この場合、羽根の数が多すぎるとその落下の妨げになる。従って、各羽根の間の空隙をなるべく大きく確保することで異物の落下を容易にしている。
【００３４】
また、図３（ｂ）に示した羽根部材１３は回転するものである。この場合は、基軸部１２が管状部１１の内周壁１６ｂから延びた複数の支持板１５により管状部内に固定され、基軸部１２に軸支された回転軸１４に、例えばパドル型の複数の羽根が装着されている。そして、各羽根が回転軸１４の軸線に対して所定の傾斜角を有して内周壁１６ｂの周方向に均等に離間して延びている。
これにより、井戸水が渦動管内の羽根の間を通過するときに羽根が回転し、渦巻流が発生することになる。
【００３５】
このように渦動管内の回転する羽根部材１３は、井戸水がサイクロン型水処理装置内に吸引されるときに井戸水に渦巻流を発生させることを目的とする。
従って、回転する羽根部材１３は、井戸水の渦巻流の発生の誘因に適しているならば羽根の形態や軸線に対する傾斜角を限定するものではない。
【００３６】
この回転羽根も固定羽根と同様に２〜３枚の羽根で構成されるのが好ましい。
ポンプの稼動が停止すると、サイクロン型水処理装置１の内部で発生していた渦巻流の遠心分離により本体部２の内周壁１６ａに集積していた砂等の異物が遠心力から解放され、自重により内周壁１６ａを滑り落ちて渦動管５の静止した羽根部材１３の間から落下する。この場合、回転羽根の数が多すぎるとその落下の妨げになる。従って、各回転羽根の間の空隙をなるべく大きく確保することで異物の落下を容易にしている。
【００３７】
以上のように、手押しポンプ５０を作動するとサイクロン型水処理装置１の渦動管５の流入口９から井戸水を吸引して汲み上げ、井戸水が渦動管５を通過するときに羽根部材１３により井戸水に渦巻流を発生させる。
【００３８】
渦動管５で発生した渦巻流は、本体部２の円錐部４から円筒部３へと螺旋軌道４０を作って上昇していく。この時、渦巻流の遠心力により井戸水中に混入する砂等の異物が本体部２の内周壁１６ａに押付けられ、本体部２の内周壁１６ａに分離・集積される。そして異物が除去された井戸水は、流出管７から揚水管２０へと上昇していく。
【００３９】
手押しポンプ５０の作動が停止すると井戸水の本体部２への吸引も停止して羽根部材１３により発生した渦巻流のサイクロン型水処理装置内での上昇も停止する。これにより遠心分離により本体部２の内周壁１６ａに集積されていた砂等の異物が遠心力から開放されて自重により停止した回転羽根１３の間から落下してサイクロン型水処理装置内から排出される。
【００４０】
このようにポンプ５０の作動時による井戸水中の異物の分離とポンプ５０の停止時に本体部２から集積された異物を排出することで、ポンプ摺動部への異物の入り込みを防止でき、磨耗によるポンプ５０の汲み上げ能力の低下や噛込みによるポンプ５０のブロック等の問題を解消できる。
【００４１】
なお、本発明に係るサイクロン型水処理装置１を備えたポンプ装置のポンプは、手動式の手押しポンプ５０に限られず、自動式の電動ポンプや液中ポンプのであってもよい。また、井戸水に渦巻流を発生させる手段として、渦動管内にスクリュウー型の羽根も使用できる。
【産業上の利用可能性】
【００４２】
本発明に係る装置は、井戸水、地下水を汲み上げて利用する際にそれらの自然水に含まれる異物を取り除くのに用いることができる。
【符号の説明】
【００４３】
１    サイクロン型水処理装置
２    本体部
３    円筒部
４    円錐部
５    渦動管
６    天板
7    流出管
８ａ，８ｂ    フランジ
９    流入口
１０    流出口
１１    管状部
１２    基軸部
１３    羽根部材
１４    回転軸
１５    支持板
１６ａ，１６ｂ    内周壁
２０    揚水管
２１    ボルト
【図１】
2020096999.tif 000003
【図２】
2020096999.tif 000004
【図３】
2020096999.tif 000005